【手続補正書】
【提出日】平成16年7月30日(2004.7.30)
【手続補正１】
【補正対象書類名】明細書
【補正対象項目名】発明の名称
【補正方法】変更
【補正の内容】
【発明の名称】デジタル放送装置及びデジタル放送方法並びに記録媒体
【手続補正２】
【補正対象書類名】明細書
【補正対象項目名】特許請求の範囲
【補正方法】変更
【補正の内容】
【特許請求の範囲】
【請求項１】
デジタル放送を用いて擬似的な対話を実現するデジタル放送装置であって、
それぞれ画像データ識別子が付された複数の画像データを順次読み込む読み込み部と、
異なる第１画像ストリーム識別子を順次画像データに割り当てる画像ストリーム識別子割当部と、
画像データ毎に対応する画像データ識別子と等価な値と、対応する画像データに割り当てられた第１画像ストリーム識別子に対応する第２画像ストリーム識別子とを含む画像対応表を生成する画像対応表生成部と、
第１画像ストリーム識別子が割り当てられた前記複数の画像データと、前記画像対応表生成部で生成された複数の画像対応表とを、それぞれの画像対応表が、対応する画像データの一定時間以上前に出現し、画像対応表と対応する画像データの間には、同一の第１画像ストリーム識別子を割り当てられた異なる画像データが出現しないように順次多重化し、多重化ストリームとして繰返し送信する多重化送信部とを有することを特徴とするデジタル放送装置。
【請求項２】
前記第１画像ストリーム識別子はＭＰＥＧ２規格に定められたパケット識別子（ＰＩＤ）であり、  前記第２画像ストリーム識別子はＤＶＢ（Ｄｉｇｉｔａｌ  Ｖｉｄｅｏ  Ｂｒｏａｄｃａｓｔｉｎｇ）規格に定められたコンポーネントタグ（ｃｏｍｐｏｎｅｎｔ＿ｔａｇ）であり、
前記多重化送信手段は、パケット識別子とコンポーネントタグとの対応が記載された対応表を繰り返し送信することを特徴とする請求項１記載のデジタル放送装置。
【請求項３】
前記第１画像ストリーム識別子はＭＰＥＧ２規格に定められたパケット識別子（ＰＩＤ）とストリームＩＤ（ｓｔｒｅａｍ＿ＩＤ）の組であり、前記第２画像ストリーム識別子はＤＶＢ（Ｄｉｇｉｔａｌ  Ｖｉｄｅｏ  Ｂｒｏａｄｃａｓｔｉｎｇ）規格に定められたコンポーネントタグ（ｃｏｍｐｏｎｅｎｔ＿ｔａｇ）とストリームＩＤ（ｓｔｒｅａｍ＿ＩＤ）の組であり、
前記多重化送信手段は、パケット識別子とコンポーネントタグとの対応が記載された対応表を繰り返し送信することを特徴とする請求項１記載のデジタル放送装置。
【請求項４】
前記画像対応表生成部は、
前記画像対応表に対応する画像データの再生開始時刻を計算する再生開始時刻計算部と、
計算された再生開始時刻を画像対応表に書き込む書込部とを有することを特徴とする請求項１から請求項３記載のいずれか1項に記載のデジタル放送装置。
【請求項５】
前記再生開始時刻は、対応する画像データの先頭フレームのＭＰＥＧ２（Ｍｏｖｉｎｇ  Ｐｉｃｔｕｒｅ  Ｅｘｐｅｒｔｓ  Ｇｒｏｕｐ２）規格に定められたＰＴＳ（Ｐｒｅｓｅｎｔａｔｉｏｎ  Ｔｉｍｅ  Ｓｔａｍｐ）の値であることを特徴とする請求項４記載のデジタル放送装置。
【請求項６】
前記画像対応表生成部は、
前記画像対応表に対応する画像データの再生終了時刻を計算する再生終了時刻計算部と、
計算された再生終了時刻を画像対応表に書き込む書込部とを有することを特徴とする請求項１から請求項３記載のいずれか1項に記載のデジタル放送装置。
【請求項７】
前記再生終了時刻は、対応する画像データの最終フレームのＭＰＥＧ２（Ｍｏｖｉｎｇ  Ｐｉｃｔｕｒｅ  Ｅｘｐｅｒｔｓ  Ｇｒｏｕｐ２）規格に定められたＰＴＳ（Ｐｒｅｓｅｎｔａｔｉｏｎ  Ｔｉｍｅ  Ｓｔａｍｐ）の値であることを特徴とする請求項６記載のデジタル放送装置。
【請求項８】
デジタル放送を用いて擬似的な対話を実現するデジタル放送方法であって、
それぞれ画像データ識別子が付された複数の画像データを順次読み込む読み込みステップと、
異なる第１画像ストリーム識別子を順次画像データに割り当てる画像ストリーム識別子割当ステップと、
画像データ毎に対応する画像データ識別子と等価な値と、対応する画像データに割り当てられた第１画像ストリーム識別子に対応する第２画像ストリーム識別子とを含む画像対応表を生成する画像対応表生成ステップと、
第１画像ストリーム識別子が割り当てられた前記複数の画像データと、前記画像対応表生成部で生成された複数の画像対応表とを、それぞれの画像対応表が、対応する画像データの一定時間以上前に出現し、画像対応表と対応する画像データの間には、同一の第１画像ストリーム識別子を割り当てられた異なる画像データが出現しないように順次多重化し、多重化ストリームとして繰返し送信する多重化送信ステップとを含むことを特徴とするデジタル放送方法。
【請求項９】
デジタル放送を用いて擬似的な対話を実現するデジタル放送プログラムを記録したコンピュータ読み取り可能な記録媒体であって、
それぞれ画像データ識別子が付された複数の画像データを順次読み込む読み込みステップと、
異なる第１画像ストリーム識別子を順次画像データに割り当てる画像ストリーム識別子割当ステップと、
画像データ毎に対応する画像データ識別子と等価な値と、対応する画像データに割り当てられた第１画像ストリーム識別子に対応する第２画像ストリーム識別子とを含む画像対応表を生成する画像対応表生成ステップと、
第１画像ストリーム識別子が割り当てられた前記複数の画像データと、前記画像対応表生成部で生成された複数の画像対応表とを、それぞれの画像対応表が、対応する画像データの一定時間以上前に出現し、画像対応表と対応する画像データの間には、同一の第１画像ストリーム識別子を割り当てられた異なる画像データが出現しないように順次多重化し、多重化ストリームとして繰返し送信する多重化送信ステップとを含むプログラムを記録したコンピュータ読み取り可能な記録媒体。
【手続補正３】
【補正対象書類名】明細書
【補正対象項目名】０００５
【補正方法】変更
【補正の内容】
【０００５】
【課題を解決するための手段】
上記目的を達成するため、デジタル放送を用いて擬似的な対話を実現するデジタル放送装置であって、それぞれ画像データ識別子が付された複数の画像データを順次読み込む読み込み部と、異なる第１画像ストリーム識別子を順次画像データに割り当てる画像ストリーム識別子割当部と、画像データ毎に対応する画像データ識別子と等価な値と、対応する画像データに割り当てられた第１画像ストリーム識別子に対応する第２画像ストリーム識別子とを含む画像対応表を生成する画像対応表生成部と、第１画像ストリーム識別子が割り当てられた前記複数の画像データと、前記画像対応表生成部で生成された複数の画像対応表とを、それぞれの画像対応表が、対応する画像データの一定時間以上前に出現し、画像対応表と対応する画像データの間には、同一の第１画像ストリーム識別子を割り当てられた異なる画像データが出現しないように順次多重化し、多重化ストリームとして繰返し送信する多重化送信部とを有することとしている。
【手続補正４】
【補正対象書類名】明細書
【補正対象項目名】０００６
【補正方法】変更
【補正の内容】
【０００６】
また、前記第１画像ストリーム識別子はＭＰＥＧ２規格に定められたパケット識別子（ＰＩＤ）であり、  前記第２画像ストリーム識別子はＤＶＢ（Ｄｉｇｉｔａｌ  Ｖｉｄｅｏ  Ｂｒｏａｄｃａｓｔｉｎｇ）規格に定められたコンポーネントタグ（ｃｏｍｐｏｎｅｎｔ＿ｔａｇ）であり、前記多重化送信手段は、パケット識別子とコンポーネントタグとの対応が記載された対応表を繰り返し送信することとしている。
また、前記第１画像ストリーム識別子はＭＰＥＧ２規格に定められたパケット識別子（ＰＩＤ）とストリームＩＤ（ｓｔｒｅａｍ＿ＩＤ）の組であり、前記第２画像ストリーム識別子はＤＶＢ（Ｄｉｇｉｔａｌ  Ｖｉｄｅｏ  Ｂｒｏａｄｃａｓｔｉｎｇ）規格に定められたコンポーネントタグ（ｃｏｍｐｏｎｅｎｔ＿ｔａｇ）とストリームＩＤ（ｓｔｒｅａｍ＿ＩＤ）の組であり、前記多重化送信手段は、パケット識別子とコンポーネントタグとの対応が記載された対応表を繰り返し送信することとしている。
【手続補正５】
【補正対象書類名】明細書
【補正対象項目名】０００７
【補正方法】変更
【補正の内容】
【０００７】
前記画像対応表生成部は、前記画像対応表に対応する画像データの再生開始時刻を計算する再生開始時刻計算部と、計算された再生開始時刻を画像対応表に書き込む書込部とを有することとしている。
また、前記再生開始時刻は、対応する画像データの先頭フレームのＭＰＥＧ２（Ｍｏｖｉｎｇ  Ｐｉｃｔｕｒｅ  Ｅｘｐｅｒｔｓ  Ｇｒｏｕｐ２）規格に定められたＰＴＳ（Ｐｒｅｓｅｎｔａｔｉｏｎ  Ｔｉｍｅ  Ｓｔａｍｐ）の値であることとしている。
また、前記画像対応表生成部は、前記画像対応表に対応する画像データの再生終了時刻を計算する再生終了時刻計算部と、計算された再生終了時刻を画像対応表に書き込む書込部とを有することとしている。
また、前記再生終了時刻は、対応する画像データの最終フレームのＭＰＥＧ２（Ｍｏｖｉｎｇ  Ｐｉｃｔｕｒｅ  Ｅｘｐｅｒｔｓ  Ｇｒｏｕｐ２）規格に定められたＰＴＳ（Ｐｒｅｓｅｎｔａｔｉｏｎ  Ｔｉｍｅ  Ｓｔａｍｐ）の値であることとしている。
【手続補正６】
【補正対象書類名】明細書
【補正対象項目名】０００８
【補正方法】変更
【補正の内容】
【０００８】
また、デジタル放送を用いて擬似的な対話を実現するデジタル放送方法であって、
それぞれ画像データ識別子が付された複数の画像データを順次読み込む読み込みステップと、
異なる第１画像ストリーム識別子を順次画像データに割り当てる画像ストリーム識別子割当ステップと、画像データ毎に対応する画像データ識別子と等価な値と、対応する画像データに割り当てられた第１画像ストリーム識別子に対応する第２画像ストリーム識別子とを含む画像対応表を生成する画像対応表生成ステップと、第１画像ストリーム識別子が割り当てられた前記複数の画像データと、前記画像対応表生成部で生成された複数の画像対応表とを、それぞれの画像対応表が、対応する画像データの一定時間以上前に出現し、画像対応表と対応する画像データの間には、同一の第１画像ストリーム識別子を割り当てられた異なる画像データが出現しないように順次多重化し、多重化ストリームとして繰返し送信する多重化送信ステップとを含むこととしている。